(57)【要約】【課題】作業性を悪くすることなく塵芥収容箱及び補助収容箱の重量を計測できるようにする。【解決手段】前後方向に延びるシャシフレーム３を有する車台２と、シャシフレーム３の上にロードセル９を介して支持される荷箱フレーム１１と、塵芥積込装置５を有し、荷箱フレーム１１の後側に支持される塵芥収容箱６と、荷箱フレーム１１の前側に支持される補助収容箱７とを設ける。荷箱フレーム１１において、塵芥収容箱６を支持する後部１１ａに側方から見て後方に向かって下方へ傾斜する傾斜面１１ｃを設け、補助収容箱７を支持する前部１１ｂに側方から見て略水平な上面１１ｄを設ける。【選択図】図２
2019055840.tif 000002
【特許請求の範囲】
【請求項１】
前後方向に延びるシャシフレームを有する車台と、
上記シャシフレームの上にロードセルを介して支持される荷箱フレームと、
塵芥積込装置を有し、上記荷箱フレームの後側に支持される塵芥収容箱と、
上記荷箱フレームの前側に支持される補助収容箱とを備えており、
上記荷箱フレームにおいて、上記塵芥収容箱を支持する後部は、側方から見て後方に向かって下方へ傾斜する傾斜面を有し、上記補助収容箱を支持する前部は、側方から見て略水平な上面を有する
ことを特徴とする塵芥収集車。
【請求項２】
請求項１に記載の塵芥収集車において、
上記荷箱フレームにおける上記後部と上記前部とは、接続ブラケットで接続されている
ことを特徴とする塵芥収集車。
【請求項３】
請求項２に記載の塵芥収集車において、
上記接続ブラケットは、側面視で下辺が上辺よりも大きい略台形であり、
上記前部の後端の高さは、上記後部の前端の高さよりも低い
ことを特徴とする塵芥収集車。
【請求項４】
請求項１から３のいずれか１つに記載の塵芥収集車において、
上記補助収容箱の底面には、上記荷箱フレームを囲む凹部が凹陥されている
ことを特徴とする塵芥収集車。
【請求項５】
請求項１から４のいずれか１つに記載の塵芥収集車において、
上記ロードセルは、側面視で上記塵芥収容箱の重心の真下又はその近傍と、上記補助収容箱の重心の真下又はその近傍とに設けられている
ことを特徴とする塵芥収集車。
【請求項６】
請求項１から５のいずれか１つに記載の塵芥収集車において、
上記補助収容箱の後端面には、上記塵芥収容箱のメンテナンス用扉が設けられている
ことを特徴とする塵芥収集車。
【発明の詳細な説明】
【技術分野】
【０００１】
本発明は、塵芥収容箱及び補助収容箱を計量可能なロードセルを有する塵芥収集車に関する。
【背景技術】
【０００２】
従来より、塵芥を収容する荷箱が、この荷箱の塵芥重量を計測するロードセルを介して車体前後方向に延びるシャシフレームに支持された塵芥収集車は知られている（例えば、特許文献１参照）。この塵芥収集車では、荷箱が荷箱フレームに載置され、その荷箱フレームがロードセルに支持されている。荷箱フレームは通常、荷箱内の液体を後側に集めるために荷箱フレームの上面は、後方に向かって下方へ傾斜している。
【０００３】
また、例えば、特許文献２及び３のように、運転室と塵芥収容箱との間に塵芥収容箱とは異なる部品を搭載する塵芥収集車も知られている。
【先行技術文献】
【特許文献】
【０００４】
【特許文献１】特許第４１６７９０７号公報
【特許文献２】特許第２８１２８０９号公報
【特許文献３】特開２００６−１２４１１６号公報
【発明の概要】
【発明が解決しようとする課題】
【０００５】
ところで、段ボールなどの資源となる収集品と、家庭用ゴミなどの水分を含む塵芥とを１台の塵芥収集車で収集したいというニーズがある。このような場合、特許文献２及び３のように、運転室と塵芥収容箱との間に補助収容箱を設けることが考えられる。しかも、両方を合算した積載量を計測して過積載にならないようにしたいなどのニーズもある。
【０００６】
特許文献１のロードセルを用いて塵芥収容箱と補助収容箱とを計測できるようにするために１つの荷箱フレームに両者を支持すると、前後長さが長くなり、荷箱フレームの前端が高くなる。この場合、補助収容箱に収集品を積み込む際に作業員が収集品を高い所まで持ち上げる必要があるので、作業性が悪くなるという問題がある。
【０００７】
本発明は、かかる点に鑑みてなされたものであり、その目的とするところは、作業性を悪くすることなく、塵芥収容箱の収集品と、当該塵芥収容箱と運転室との間に設けられた補助収容箱の収集品との両方を重量測定できるようにすることにある。
【課題を解決するための手段】
【０００８】
上記の目的を達成するために、この発明では、最適な荷箱フレームを設けた。
【０００９】
具体的には、第１の発明では、前後方向に延びるシャシフレームを有する車台と、
上記シャシフレームの上にロードセルを介して支持される荷箱フレームと、
塵芥積込装置を有し、上記荷箱フレームの後側に支持される塵芥収容箱と、
上記荷箱フレームの前側に支持される補助収容箱とを備えており、
上記荷箱フレームにおいて、上記塵芥収容箱を支持する後部は、側方から見て後方に向かって下方へ傾斜する傾斜面を有し、上記補助収容箱を支持する前部は、側方から見て略水平な上面を有する。
【００１０】
上記の構成によると、前後に塵芥収容箱と補助収容箱とを並べた場合に、塵芥収容箱の領域では傾斜を設けることで液体を後方に集めることができ、補助収容箱の範囲では水平にすることで補助収容箱の全高増加を抑制できる。これにより、補助収容箱に収集品を積み込む際に、作業員が収集品を持ち上げる高さが低減されるので、作業性がよくなる。また、車両全体の全高も抑制することができるので、屋内で高さ制限がある場所にも容易に進入できる。
【００１１】
第２の発明では、第１の発明において、
上記荷箱フレームにおける上記後部と上記前部とは、接続ブラケットで接続されている。
【００１２】
上記の構成によると、前後で荷箱フレームを分割できるので、製造時のハンドリングが容易となり組付性が向上する。
【００１３】
第３の発明では、第２の発明において、
上記接続ブラケットは、側面視で下辺が上辺よりも大きい略台形であり、
上記前部の後端の高さは、上記後部の前端の高さよりも低い。
【００１４】
上記の構成によると、接続ブラケットを略台形状とすることで、質量増加を小さくしながら応力集中が分散される。また、接続ブラケットの部分で、全部後端の高さと後部前端の高さとの差を吸収することで、外観を悪化させずに補助収容箱の全高増加を抑制している。
【００１５】
第４の発明では、第１から第３のいずれか１つの発明において、
上記補助収容箱の底面には、上記荷箱フレームを囲む凹部が凹陥されている。
【００１６】
上記の構成によると、補助収容箱の全高の増加を抑えながら、補助収容箱の容積を増やすことができる。
【００１７】
第５の発明では、第１から第４のいずれか１つの発明において、
上記ロードセルは、側面視で上記塵芥収容箱の重心の真下又はその近傍と、上記補助収容箱の重心の真下又はその近傍とに設けられている。
【００１８】
上記の構成によると、それぞれの重心の真下近傍にロードセルを設けることでより正確に合計重量を計測することができる。
【００１９】
第６の発明では、第１から第５のいずれか１つの発明において、
上記補助収容箱の後端面には、上記塵芥収容箱のメンテナンス用扉が設けられている。
【００２０】
上記の構成によると、補助収容箱の内部からメンテナンス用扉を開いてその後方の塵芥収容箱のメンテナンスをすることができる。具体的には、塵芥収容箱の前端部に設けられたコントロールバルブ等のメンテナンスをすることができる。
【発明の効果】
【００２１】
以上説明したように、本発明によれば、荷箱フレームにおいて、塵芥収容箱を支持する後部に側方から見て後方に向かって下方へ傾斜する傾斜面を設け、補助収容箱を支持する前部に側方から見て略水平な上面を設けたことにより、補助収容箱の全高増加を抑制して作業性を確保しながら、塵芥収容箱と補助収容箱の両方を合算した収集品の重量を計測できる。
【図面の簡単な説明】
【００２２】
【図１】荷箱フレームの前後中央及びその周辺を拡大して示す側面図である。
【図２】本発明の実施形態に係る塵芥収集車を示す側面図である。
【図３Ａ】補助収容箱を示す正面図である。
【図３Ｂ】補助収容箱を示す背面図である。
【図４】シャシフレーム及び荷箱フレームを示す側面図である。
【図５】計量フレームを示す平面図である。
【図６】荷箱フレームの接続部分を拡大して示す側面図である。
【発明を実施するための形態】
【００２３】
以下、本発明の実施形態を図面に基づいて説明する。
【００２４】
図２は本発明の実施形態の塵芥収集車１を示し、この塵芥収集車１は、前後方向に延びるシャシフレーム３を有する車台２を有し、車台２の前側には運転室４が設けられている。このシャシフレーム３の後側には、塵芥積込装置５を有する塵芥収容箱６が搭載され、前側には、段ボールなどを収容する補助収容箱７が設けられている。
【００２５】
具体的には、シャシフレーム３の上面に、図５に示す上下の高さが比較的低い計量フレーム８（サブフレーム）がボルト等により固定されている。この計量フレーム８の前後中間の取付部８ａに例えば前後２対合計４つのロードセル９が取り付けられている。ロードセル９は、側面視で塵芥収容箱６の重心の真下又はその近傍と、補助収容箱７の重心の真下又はその近傍とに設けられている。本実施形態では、塵芥収容箱６及び補助収容箱７のそれぞれの重心の真下近傍にロードセル９を設けたので、正確に合計重量を計測することができる。なお、計量フレーム８は、全長が長いため、前後でそれぞれ製缶した後、中間部分の接続部８ｂで溶接等により接続されている。
【００２６】
図２に示すように、各ロードセル９の近傍には、車幅方向（左右方向）に延びるクロスメンバ１０も設けられている。そして、これら合計４つのロードセル９を介して荷箱フレーム１１が支持されている。この荷箱フレーム１１の後側に塵芥収容箱６が支持され、荷箱フレーム１１の前側に直方体状の補助収容箱７が支持されている。なお、塵芥積込装置５の底部には、塵芥収容箱６及び塵芥積込装置５で発生した汚水を溜める汚水タンク５ａが設けられている。
【００２７】
そして、図４にも示すように、荷箱フレーム１１において、塵芥収容箱６を支持する後部１１ａは、側方から見て後方に向かって下方へ傾斜する傾斜面１１ｃを有し、補助収容箱７を支持する前部１１ｂは、側方から見て略水平な上面１１ｄを有する。なお、傾斜面１１ｃは、全体に亘って一定の角度で傾斜している必要はなく、一部水平な部分や凹凸があってもよい。また、上面１１ｄも全体に亘って完全に水平である必要はなく、一部傾斜する部分や凹凸があってもよい。
【００２８】
また、荷箱フレーム１１の後部１１ａと前部１１ｂとは、接続ブラケット１２で接続されている。図６に拡大して示すように、接続ブラケット１２は、側面視で下辺が上辺よりも大きい略台形であり、前部１１ｂの後端の高さｈ１は、後部１１ａの前端の高さｈ２よりも低い（ｈ１＜ｈ２）。本実施形態では、後部１１ａと前部１１ｂとで荷箱フレーム１１を分割してそれぞれ製缶した後、接続できるので、ハンドリングが容易となり組付性を格段に向上させることができる。また本実施形態では、接続ブラケット１２を略台形状とすることで、質量増加を小さくしながら応力集中が分散される。
【００２９】
補助収容箱７の底面には、図３Ａ及び図３Ｂに示すように、荷箱フレーム１１を囲む凹部７ａが凹陥されている。この凹部７ａの底面が荷箱フレーム１１の前部１１ｂの上面１１ｄに載っている。この凹部７ａを設けることで、車高の増加を抑えながら、補助収容箱７の容積を増やすことができるようになっている。図１に示すように、補助収容箱７の側面には、金網状の開閉扉７ｂが設けられており、後端のヒンジ部７ｃを中心に略１８０°まで回動可能となっている。開閉扉７ｂは、前端のロック部７ｄでロック可能となっている。また、図３Ｂに示すように、補助収容箱７の後端面には、例えば、塵芥収容箱６のメンテナンス用扉７ｅが３箇所に設けられている。これにより、補助収容箱７の内部に入った作業者が適切なメンテナンス用扉７ｅを開いてその後方の塵芥収容箱６のメンテナンスをすることができるようになっている。例えば、塵芥収容箱６の前部に設けられたコントロールバルブのメンテナンスができるようになっている。そして、補助収容箱７の底部には、内部の雨水等を外部に排出するための排水管７ｆが設けられている。この排水管７ｆは必須ではなく、例えば、底部に設けたタンクに雨水等を一時的に溜めるようにしてもよい。
【００３０】
本実施形態では、前後に塵芥収容箱６と補助収容箱７とを並べた場合に、塵芥収容箱６の領域では傾斜を設けることで液体を後方の汚水タンク５ａに集めることができ、補助収容箱７の範囲では水平にすることで全高の増加が低減される。
【００３１】
したがって、本実施形態に係る塵芥収集車１によると、荷箱フレーム１１において、塵芥収容箱６を支持する後部１１ａに、側方から見て後方に向かって下方へ傾斜する傾斜面１１ｃを設け、補助収容箱７を支持する前部１１ｂに、側方から見て略水平な上面１１ｄを設けたことにより、補助収容箱７の全高増加を抑制して作業性を確保しながら、塵芥収容箱６と補助収容箱７の両方を合算した収集品の重量を容易に計測できる。
【００３２】
（その他の実施形態）
本発明は、上記実施形態について、以下のような構成としてもよい。
【００３３】
すなわち、上記実施形態では、補助収容箱７としてメッシュ状の側壁を有するものについて説明したがこれに限定されず、鋼板状の側壁を有する補助収容箱でもよいし、天板が設けられていない補助収容箱でもよい。補助収容箱７に収容するものは、段ボール以外のどのような積荷でもよい。
【００３４】
なお、以上の実施形態は、本質的に好ましい例示であって、本発明、その適用物や用途の範囲を制限することを意図するものではない。
【符号の説明】
【００３５】
１      塵芥収集車
２      車台
３      シャシフレーム
４      運転室
５      塵芥積込装置
５ａ    汚水タンク
６      塵芥収容箱
７      補助収容箱
７ａ    凹部
７ｂ    開閉扉
７ｃ    ヒンジ部
７ｄ    ロック部
７ｅ    メンテナンス用扉
７ｆ    排水管
８      計量フレーム
８ａ    取付部
９      ロードセル
１０      クロスメンバ
１１      荷箱フレーム
１１ａ    後部
１１ｂ    前部
１１ｃ    傾斜面
１１ｄ    上面
１２      接続ブラケット
【図１】
2019055840.tif 000003
【図２】
2019055840.tif 000004
【図３Ａ】
2019055840.tif 000005
【図３Ｂ】
2019055840.tif 000006
【図４】
2019055840.tif 000007
【図５】
2019055840.tif 000008
【図６】
2019055840.tif 000009